(57)【要約】【課題】ロック状態及び解除状態の切り替えを容易かつ確実に行うことが可能であり、簡易な取付け構造を有するロック装置及び収納家具を提供する。【解決手段】本発明を適用したロック装置の一例である引出しロック１は、外カバー体２と、ラッチ３と、スイッチ４を備えている。また、外カバー体２は引出しロック１が設置される時に引出し前板５に取り付けられる部分である。外カバー体２は、引出し前板５に設けられた外カバー体２が嵌合可能な凹部６にぴったりと嵌合して固定されている。【選択図】図１
2015117514.tif 000002
【特許請求の範囲】
【請求項１】
引出し前板に配置されると共に、貫通孔が形成された第１の部材と、
前記貫通孔に挿通して配置され、同貫通孔側とは反対側の端部に突出部が形成された第２の部材と、
前記第１の部材の内部に配置される本体と、該本体に設けられ前記第２の部材の前記突出部が形成された側と反対側の端部と嵌合する嵌合部とを有する第３の部材と、
前記本体との間に前記第１の部材の一部を挟持して同本体の端部に連設され、前記第３の部材を同第１の部材の挟持された領域に沿って移動可能にせしめるスイッチ部と、
前記第１の部材及び前記スイッチ部に設けられ、前記第３の部材の移動を所定の位置で係止可能にせしめる係止部と、
前記引出し前板と対応する家具本体に配置され、前記突出部と嵌合して前記第２の部材の同突出部が形成された側と反対側の方向への移動を規制する第４の部材とを備える
ロック装置。
【請求項２】
前記係止部は前記第３の部材が移動する位置を前記突出部が前記第４の部材に嵌合しない位置で係止可能である
請求項１に記載のロック装置。
【請求項３】
前記第２の部材は前記嵌合部を中心軸に前記突出部の突出方向とは反対側の方向に回転可能であると共に、前記突出部から所定の間隙を有して位置し、同突出部が前記嵌合部と嵌合する向きを保持する保持部が形成され、かつ、少なくとも一部が前記引出し前板及び前記家具本体の間に形成される間隙に配置可能な
請求項１または請求子２に記載のロック装置。
【請求項４】
前記第１の部材は前記引出し前板に形成された同第１の部材の外形と略同一な凹状の領域に配置された
請求項１、請求項２または請求項３に記載のロック装置。
【請求項５】
前記第１の部材は前記引出し前板の外周面上に設けられた
請求項１、請求項２または請求項３に記載のロック装置。
【請求項６】
前記突出部及び前記第４の部材が磁性を有する素材で形成され磁力により嵌合可能な
請求項１、請求項２、請求項３、請求項４または請求項５に記載のロック装置。
【請求項７】
前記第１の部材は前記貫通孔が略垂直に形成され、
前記第２の部材は前記突出部が略垂直下方に突出して形成された
請求項１、請求項２、請求項３、請求項４、請求項５または請求項６に記載のロック装置。
【請求項８】
前記第２の部材の前記突出部が形成された側の端部は同突出部の最も突出した領域から先端に向けて傾斜して形成された
請求子３に記載のロック装置。
【請求項９】
引出し前板を有する引出しと、
該引出しと対応する家具本体と、
前記引出し前板に配置されると共に、貫通孔が形成された第１の部材と、前記貫通孔に挿通して配置され、同貫通孔側とは反対側の端部に突出部が形成された第２の部材と、前記第１の部材の内部に配置される本体と、該本体に設けられ前記第２の部材の前記突出部が形成された側と反対側の端部と嵌合する嵌合部とを有する第３の部材と、前記本体との間に前記第１の部材の一部を挟持して同本体の端部に連設され、前記第３の部材を同第１の部材の挟持された領域に沿って移動可能にせしめるスイッチ部と、前記第１の部材及び前記スイッチ部に設けられ、前記第３の部材の移動を所定の位置で係止可能にせしめる係止部と、前記家具本体に配置され、前記突出部と嵌合して前記第２の部材の同突出部が形成された側と反対側の方向への移動を規制する第４の部材とを有するロック装置とを備える
収納家具。
【発明の詳細な説明】
【技術分野】
【０００１】
本発明は、ロック装置及び収納家具に関する。詳しくは、ロック状態及び解除状態の切り替えを容易かつ確実に行うことが可能であり、簡易な取付け構造を有するロック装置及び収納家具に係るものである。
【背景技術】
【０００２】
扉や引出しの開閉を制限する目的から、収納家具や机等にロック装置が設けられる。また、ロック装置には、ラッチレバーや解除部に触れることでロック状態が解除される手動式のものや、鍵を介してロック状態や解除状態を切り替えるものが存在する。
【０００３】
また、近年では、防災意識の高まりから、家具の耐震構造が注目されている。前述したようなロック装置を家具の構造に取り入れ、地震発生時の大きな揺れによって、引出しの飛び出しが起こりにくくする工夫がなされている。
【０００４】
こうしたなか、地震が発生した際の揺れを感知して、引出しの飛び出しを防止しようとする引出用耐震ラッチが存在し、例えば、特許文献１に記載の耐震ラッチが提案されている。
【０００５】
ここで、特許文献１には、図９に示すような耐震ラッチ１００が記載されている。耐震ラッチ１００は、キャビネット本体側に取り付けられるラッチ体１０１と、引出し側面側に取り付けられるストッパ体１０２から構成される。
【０００６】
また、ラッチ体１０１は、係止部を有するフック部材１０３と、フック部材１０３と連結した転動体１０４と、フック部材１０３を常時引き込み状態にする保持部材１０５から構成される。また、ストッパ体１０２は、係止部が係止する被係止部１０６を有している。
【０００７】
耐震ラッチ１００では、地震の揺れに応じて転動体１０４が転がることで、係止部と被係止部が係止した状態となり、引出しがロック状態となるものとなっている。
【先行技術文献】
【特許文献】
【０００８】
【特許文献１】特開２００７―１０５４０５号公報
【発明の概要】
【発明が解決しようとする課題】
【０００９】
しかしながら、特許文献１に記載の耐震ラッチは、転動体が転がることで引出しが係止されるが、ロック動作の確実性が担保されるものではない。例えば、何等かの原因で転動体が動かない場合には、ロック状態とならず、引出しが飛び出してしまうおそれがある。
【００１０】
また、特許文献１に記載の耐震ラッチを有する家具等は、ロック装置を水平に取付け、更に、その水平な状態を維持する必要がある。この条件を満たさなければ、日常の使用において誤作動や、わずかな揺れに対する過剰な反応を招くものとなってしまう。
【００１１】
また、構造が複雑で、取付け加工や設置後の保守に手間がかかるという不都合も存在する。特に、取付け時には、引出し側とキャビネット側の両方に複数の工程で部材の取付けを行う必要があり、加工に手間がかかるものとなっている。
【００１２】
本発明は、以上の点に鑑みて創案されたものであり、ロック状態及び解除状態の切り替えを容易かつ確実に行うことが可能であり、簡易な取付け構造を有するロック装置及び収納家具を提供することを目的とする。
【課題を解決するための手段】
【００１３】
上記の目的を達成するために、本発明のロック装置は、引出し前板に配置されると共に、貫通孔が形成された第１の部材と、前記貫通孔に挿通して配置され、同貫通孔側とは反対側の端部に突出部が形成された第２の部材と、前記第１の部材の内部に配置される本体と、該本体に設けられ前記第２の部材の前記突出部が形成された側と反対側の端部と嵌合する嵌合部とを有する第３の部材と、前記本体との間に前記第１の部材の一部を挟持して同本体の端部に連設され、前記第３の部材を同第１の部材の挟持された領域に沿って移動可能にせしめるスイッチ部と、前記第１の部材及び前記スイッチ部に設けられ、前記第３の部材の移動を所定の位置で係止可能にせしめる係止部と、前記引出し前板と対応する家具本体に配置され、前記突出部と嵌合して前記第２の部材の同突出部が形成された側と反対側の方向への移動を規制する第４の部材とを備える。
【００１４】
ここで、引出し前板に配置されると共に、貫通孔が形成された第１の部材によって、引出し前板に本ロック装置を取り付けることが可能となる。なお、引出し前板とは、引出し構造において、使用者が触れて引出しの開閉を行う部分である。
【００１５】
また、貫通孔が形成された第１の部材と、貫通孔に挿通して配置され、貫通孔側とは反対側の端部に突出部が形成された第２の部材によって、端部に突出部を有する第２の部材を第１の部材に挿通させて、第１の部材の外側に出させることができる。
【００１６】
また、貫通孔側とは反対側の端部に突出部が形成された第２の部材と、引出し前板と対応する家具本体に配置され、突出部と嵌合して第２の部材の突出部が形成された側と反対側の方向への移動を規制する第４の部材によって、第２の部材の突出部が形成された側とは反対側の方向への移動を規制することができる。即ち、引出し前板が引き出される方向への移動をロック状態にすることができる。
【００１７】
また、本体に設けられ第２の部材の突出部が形成された側と反対側の端部と嵌合する嵌合部とを有する第３の部材によって、第２の部材と第３の部材を連結させることができる。即ち、第３の部材の動きに第２の部材の動きを連動させることができる。
【００１８】
また、第１の部材の内部に配置される本体を有する第３の部材と、本体との間に第１の部材の一部を挟持して本体の端部に連設され、第３の部材を第１の部材の挟持された領域に沿って移動可能にせしめるスイッチ部によって、スイッチ部を動かして第３の部材を第１の部材の挟持された領域に沿って移動させることが可能となる。即ち、スイッチ部の操作により、第２の部材を動かしてロック状態と解除状態を変更することができる。
【００１９】
また、第３の部材を第１の部材の挟持された領域に沿って移動可能にせしめるスイッチ部と、第１の部材及びスイッチ部に設けられ、第３の部材の移動を所定の位置で係止可能にせしめる係止部によって、スイッチ部の位置を係止させることができる。即ち、第２の部材の位置も係止可能となり、解除状態やロック状態の位置を維持することができる。
【００２０】
また、係止部が、第３の部材が移動する位置を突出部が第４の部材に嵌合しない位置で係止可能である場合には、第２の部材の突出部と第４の部材が嵌合しない位置を維持することが可能となる。即ち、解除の状態を維持可能となる。例えば、日常の使用による振動により自然にロック状態となる誤作動が起こりにくいものとすることができる。
【００２１】
また、第２の部材が嵌合部を中心軸に突出部の突出方向とは反対側の方向に回転可能であると共に、突出部から所定の間隙を有して位置し、突出部が嵌合部と嵌合する向きを保持する保持部が形成された場合には、回転する第２の部材の向きを、通常時には、突出部と嵌合部が嵌合する際の向きに保つことができる。
【００２２】
また、第２の部材に、突出部から所定の間隙を有して位置し、突出部が嵌合部と嵌合する向きを保持する保持部が形成された場合には、突出部と第４の部材が嵌合した状態でも、間隙の範囲内で引出しを家具本体から引き出すことが可能となる。
【００２３】
また、第２の部材に、突出部から所定の間隙を有して位置し、突出部が嵌合部と嵌合する向きを保持する保持部が形成され、かつ、少なくとも一部が引出し前板及び家具本体の間に形成される間隙に配置可能な場合には、突出部と第４の部材が嵌合した状態でも、間隙の範囲内で引出しを家具本体から引き出して、第２の部材の一部を家具本体の外側から操作することが可能となる。
【００２４】
また、第２の部材が嵌合部を中心軸に突出部の突出方向とは反対側の方向に回転可能であると共に、突出部から所定の間隙を有して位置し、突出部が嵌合部と嵌合する向きを保持する保持部が形成され、かつ、少なくとも一部が引出し前板及び家具本体の間に形成される間隙に配置可能な場合には、第２の部材の一部を家具本体の外側から操作して、第２の部材を突出部の突出方向と反対側に動かすことができる。即ち、スイッチ部を操作せずとも、ロック状態を解除状態にすることが可能となる。
【００２５】
また、第１の部材が引出し前板に形成された第１の部材の外形と略同一な凹状の領域に配置された場合には、第１の部材をそのまま引出し前板に設置することが可能となる。即ち、ネジ構造等の固定のための別途の部材を使用せずにロック装置を容易に取り付けることができる。
【００２６】
また、第１の部材が引出しの外周面上に設けられた場合には、ロック装置を引出し前板の外側に取り付けることが可能となる。また、この際、第４の部材は家具本体の外側に設けられることになる。
【００２７】
また、突出部及び第４の部材が磁性を有する素材で形成され磁力により嵌合可能な場合には、磁力によって自動でロック状態とすることが可能となる。
【００２８】
また、第１の部材の貫通孔が略垂直に形成され、第２の部材の突出部が略垂直下方に突出して形成された場合には、ロック状態と解除状態の操作を、スイッチ部を上下に動かすことで可能となる。具体的には、スイッチ部を上方に上げた時が解除の状態、スイッチ部を下方に下げた時がロックの状態となる。
【００２９】
また、第２の部材が嵌合部を中心軸に突出部の突出方向とは反対側の方向に回転可能であり、第２の部材の突出部が形成された側の端部が突出部の最も突出した領域から先端に向けて傾斜して形成された場合には、ロック状態の誤使用時にも装置が破損しにくい構造となる。即ち、スイッチをロックした状態で引出しを押し込んだ際にも、第２の部材は第４の部材の位置に応じて回転可能な方向に動き、かつ、第２の部材の傾斜に沿って第４の部材が位置することとなる。また、第２の部材が引出しと共に押し込まれ、突出部が第４の部材を乗り越えて嵌合状態となる。この結果、装置に負荷がかからず、ロック状態とすることが可能となる。
【００３０】
また、上記の目的を達成するために、本発明の収納家具は、引出し前板を有する引出しと、該引出しと対応する家具本体と、前記引出し前板に配置されると共に、貫通孔が形成された第１の部材と、前記貫通孔に挿通して配置され、同貫通孔側とは反対側の端部に突出部が形成された第２の部材と、前記第１の部材の内部に配置される本体と、該本体に設けられ前記第２の部材の前記突出部が形成された側と反対側の端部と嵌合する嵌合部とを有する第３の部材と、前記本体との間に前記第１の部材の一部を挟持して同本体の端部に連設され、前記第３の部材を同第１の部材の挟持された領域に沿って移動可能にせしめるスイッチ部と、前記第１の部材及び前記スイッチ部に設けられ、前記第３の部材の移動を所定の位置で係止可能にせしめる係止部と、前記家具本体に配置され、前記突出部と嵌合して前記第２の部材の同突出部が形成された側と反対側の方向への移動を規制する第４の部材とを有するロック装置とを備える。
【００３１】
ここで、引出し前板に配置される第１の部材によって、引出しの前板に本ロック装置を取り付けることが可能となる。
【００３２】
また、貫通孔が形成された第１の部材と、貫通孔に挿通して配置され、貫通孔側とは反対側の端部に突出部が形成された第２の部材によって、端部に突出部を有する第２の部材を第１の部材に挿通させて、第１の部材の外側に出させることができる。
【００３３】
また、貫通孔側とは反対側の端部に突出部が形成された第２の部材と、引出し前板と対応する家具本体に配置され、突出部と嵌合して第２の部材の突出部が形成された側と反対側の方向への移動を規制する第４の部材によって、第２の部材の突出部が形成された側とは反対側の方向への移動を規制することができる。即ち、引出しが引き出される方向への移動をロックすることができる。
【００３４】
また、本体に設けられ第２の部材の突出部が形成された側と反対側の端部と嵌合する嵌合部とを有する第３の部材によって、第２の部材と第３の部材を連結させることができる。即ち、第３の部材の動きに第２の部材の動きを連動させることができる。
【００３５】
また、第１の部材の内部に配置される本体を有する第３の部材と、本体との間に第１の部材の一部を挟持して本体の端部に連設され、第３の部材を第１の部材の挟持された領域に沿って移動可能にせしめるスイッチ部によって、スイッチ部を動かして第３の部材を第１の部材の挟持された領域に沿って移動させることが可能となる。即ち、スイッチ部の操作により、第２の部材を動かしてロック状態と解除状態を変更することができる。
【００３６】
また、第３の部材を第１の部材の挟持された領域に沿って移動可能にせしめるスイッチ部と、第１の部材及びスイッチ部に設けられ、第３の部材の移動を所定の位置で係止可能にせしめる係止部によって、スイッチ部の位置を係止させることができる。即ち、第２の部材の位置も係止可能となり、解除状態やロック状態の位置を維持することができる。
【発明の効果】
【００３７】
本発明に係るロック装置は、ロック状態及び解除状態の切り替えを容易かつ確実に行うことが可能であり、簡易な取付け構造を有するものとなっている。
また、本発明に係る収納家具は、ロック状態及び解除状態の切り替えを容易かつ確実に行うことが可能であり、簡易な取付け構造を有するものとなっている。
【図面の簡単な説明】
【００３８】
【図１】本発明を適用したロック装置の引出し前板への取付状態を示す概略図である。
【図２】ロック装置の全体の外観を示す概略図である。
【図３】ラッチ、内側本体及びスイッチの構造を示す概略斜視図（ａ）及びその平面概略図（ｂ）である。
【図４】外カバー体の構造を示す概略図である。
【図５】ラッチの構造を示す概略図である。
【図６】ロック状態で引出しを閉めた際にラッチ先端にロックピンが接触した状態を示す概略図（ａ）、ラッチの傾斜面とロックピンまたは突出部が接触した状態を示す概略図（ｂ）、及び、ラッチとロックピンが嵌合した状態を示す概略図（ｃ）である。
【図７】本発明の実施の形態の一例であるキャップ式のロック装置を示す概略図である。
【図８】本発明の実施の形態の一例であるネジ固定式のロック装置を示す概略図である。
【図９】従来の振動感知式のロック構造を示した概略図である。
【発明を実施するための形態】
【００３９】
以下、本発明の実施の形態について図面を参照しながら説明し、本発明の理解に供する。
図１は、本発明を適用したロック装置の引出し前板への取付状態を示す概略図である。図２は、ロック装置の全体の外観を示す概略図である。図３は、ラッチ、内側本体及びスイッチの構造を示す概略斜視図（ａ）及びその平面概略図（ｂ）である。図４は、外カバー体の構造を示す概略図である。図５は、ラッチの構造を示す概略図である。
【００４０】
図１に示すように、本発明を適用したロック装置の一例である引出しロック１は、外カバー体２と、ラッチ３と、スイッチ４を備えている。
【００４１】
また、外カバー体２は引出しロック１が設置される時に引出し前板５に取り付けられる部分である。外カバー体２は、引出し前板５に設けられた外カバー体２が嵌合可能な凹部６にぴったりと嵌合して固定されている。
【００４２】
また、ラッチ３は、後述するロックピン１０と嵌合する部材であり、スイッチ４を動かすことでその嵌合状態を切り替えることが可能となる。この嵌合状態の切り替えにより、引出し７の引き出す方向への移動のロック状態と解除状態を切り替えることができる。
【００４３】
また、ラッチ３は、外カバー体２に形成されたスライド孔２１に挿通されている。ラッチ３は、スイッチ４の移動に合わせて上下に移動させることができる。
【００４４】
また、スイッチ４は、ロック状態と解除状態を切り替える際の操作部分であり、上下に動かすことが可能である。また、スイッチ４は、後述する内側本体１３を介してラッチ３と繋がっている。スイッチ４は、内側本体１３との間に挟持した外カバー体２の領域に沿って移動可能なものとなっている。また、スイッチ４は、引出し前板５の側面に沿って配置されている。
【００４５】
ここで、必ずしも、外カバー体２が、引出し前板５に設けられた凹部６に嵌合して固定される必要はなく、引出しに取り付けが可能であれば充分である。但し、固定の際に、ネジ部材等の別途の部材を用いず、差し込むだけで取付け可能となる点から、外カバー体２が引出し前板５に設けられた凹部６に嵌合して固定されることが好ましい。
【００４６】
また、ラッチ３及びスライド孔２１の形状は、図１に示す縦長の形状に限定されるものではなく、スライド孔を介してラッチが移動可能かつラッチとロックピンが嵌合可能に構成されていれば充分である。例えば、スライド孔を横長にして、その形状に合わせたラッチとする構造も採用しうる。但し、引出しと引出しを収納するキャビネットとの間の空間の大きさ及び確保できるラッチの移動幅を考慮すると、ラッチ３及びスライド孔２１の形状が縦長の形状にされることが好ましい。
【００４７】
前述したように、図２はロック装置の全体の外観を示す概略図であり、引出しロック１の全体像を示している。
【００４８】
図２に示すように、引出しロック１は、蓋部８を有する。蓋部８は、外カバー体２のスイッチ４側に取り付けられる薄い板状体であり、外カバー体２を閉塞し、外カバー体２の内部に異物が混入しないようにしている。
【００４９】
また、ラッチ３は、外カバー体２と反対側の領域に突出部９を有する。突出部９は、引出し７が収納されるキャビネットの側板内側（図示せず）に設けられたロックピン１０と嵌合する部分である。
【００５０】
また、ロックピン１０は、引出し７がキャビネット内に収納された状態で、突出部９と対応する位置にくるように設けられている。また、ロックピン１０は、ラッチ３の突出部９に引っ掛かる大きさの略円柱状体である。
【００５１】
また、スイッチ４の端部には凸状かつ略半円径の操作部１１が設けられている。また、操作部１１の表面上には、複数の溝１２が形成されている。この操作部１１に触れてスイッチ４を動かすことができる。
【００５２】
ここで、蓋部８の形状と大きさ及び外カバー体２への取付け構造は特に限定されるものではない。外カバー体２を閉塞可能なものとなっていれば充分である。
【００５３】
また、ラッチ３の突出部９及びロックピン１０の形状と大きさは特に限定されるものではない。突出部９とロックピン１０が嵌合可能であり、引出し７の移動をロック状態とできるものであれば充分である。
【００５４】
また、必ずしも、ロックピン１０が略円柱状体である必要はない。但し、後述するように、ロック状態としたままの誤使用時にロック装置が壊れにくくなる点から、ロックピン１０が略円柱状体であることが好ましい。
【００５５】
また、ロックピン１０の長さは、引出しロック１を設ける引出しとキャビネットの間の距離に応じて適宜変更することが可能である。ロックピン１０の長さを調節することで、引出しロック１の汎用性を高めることができる構造となっている。
【００５６】
また、必ずしも、スイッチ４の端部に凸状かつ略半円径の操作部１１が設けられる必要はなく、操作部１１の表面上に複数の溝１２が形成される必要もない。使用者がスイッチ４を操作して、ラッチ３を動かせるものであれば充分である。但し、使用者がスイッチ４を扱いやすくなる点から、スイッチ４の端部に凸状かつ略半円径の操作部１１が設けられ、操作部１１の表面上に複数の溝１２が形成されることが好ましい。
【００５７】
また、引出しロック１は、図３（ａ）に示すような内側本体１３を有している。通常は、内側本体１３が外カバー体２の内部に配置され、外カバー体２を蓋部８が閉塞するため、内側本体１３は外観視できない構造となっている。
【００５８】
また、図３（ａ）に示すように、内側本体１３には、ラッチ３と嵌合する嵌合凸部１４が設けられている。また、ラッチ３の嵌合凸部１４と対応する領域には、嵌合孔部１５が形成され、この部分に嵌合凸部１４が挿通されている。
【００５９】
また、内側本体１３には、嵌合凸部１４の近傍に一部が略水平に切り欠かれたラッチ受け部１６が設けられている。ラッチ受け部１６は、ラッチ３の嵌合孔部１５の近傍に略水平に形成された保持部１７と嵌合する形状となっている。ラッチ受け部１６及び保持部１７が嵌合することで、ラッチ３の水平状態を維持するものとなっている。
【００６０】
また、内側本体１３のラッチ３の端部１８と接する領域には、略半円径に形成されたラッチ３の端部１８の形状に合わせて略半円形の切り欠き１９が設けられている。ラッチ３は、端部１８と切り欠き１９の形状に沿って、嵌合凸部１４を中心軸として、突出部９の突出方向とは反対の方向、即ち、図３（ａ）でいう時計回りの方向に回転可能に構成されている。
【００６１】
ここで、必ずしも、ラッチ３の嵌合凸部１４と対応する領域に嵌合孔部１５が形成され、この部分に嵌合凸部１４が挿通される必要はない。内側本体１３及びラッチ３を連動して動かせる構造となっていれば充分である。但し、後述するように、スイッチを操作せずともロック状態を解除可能にできる点から、ラッチ３の嵌合凸部１４と対応する領域に嵌合孔部１５が形成され、この部分に嵌合凸部１４が挿通されることが好ましい。
【００６２】
また、必ずしも、内側本体１３にラッチ受け部１６が設けられ、ラッチ３に保持部１７が形成される必要はない。但し、ラッチ３が嵌合凸部１４を中心軸に回転可能な構成とした場合に、ラッチ３の向きを突出部９及びロックピン１０が嵌合する向きに維持し、引出しロック１が使用しやすくなる点から、内側本体１３にラッチ受け部１６が設けられ、ラッチ３に保持部１７が形成されることが好ましい。
【００６３】
また、必ずしも、ラッチ３の端部１８が略半円形に形成され、内側本体１３に切り欠き１９が設けられる必要はない。但し、ラッチ３が嵌合凸部１４を中心軸に回転可能な構造となり、後述するように、スイッチを操作せずともロック状態を解除可能にできる点から、ラッチ３の端部１８が略半円形に形成され、内側本体１３に切り欠き１９が設けられることが好ましい。
【００６４】
また、図３（ａ）に示すように、内側本体１３は、嵌合凸部１４が設けられた面と反対側の面でスイッチ４と連設されている。また、内側本体１３とスイッチ４の間にはガイド溝２０が形成されている。内側本体１３とスイッチ４が連設した部分の上方にガイド溝２０が形成された構造となっている。また、ガイド溝２０は、外カバー体２の一部と対向し、かつ嵌合する構造となっている。
【００６５】
また、内側本体１３には、ガイド溝２０側に隣接して凸状のスライド補助部３３が形成されている。スライド補助部３３は、内側本体１３及びスイッチ４の移動を補助する部分となる。
【００６６】
また、スイッチ４にはスイッチ側凸部２６が形成されている。スイッチ側凸部２６の外カバー体２と接する領域には、凹状の解除係止部２２及び施錠係止部２３が形成されている。解除係止部２２及び施錠係止部２３は、後述する外カバー体２の凸状の係止部２５と嵌合する部分である。なお、図３（ｂ）には、ラッチ３、内側本体１３及びスイッチ４の平面図を示している。
【００６７】
ここで、内側本体１３が外カバー体２の一部に沿って移動可能に構成されていれば充分であり、その構造は、内側本体１３とスイッチ４の間に形成されるガイド溝２０に限定されるものではない。但し、ガイド溝２０及び外カバー体２の一部が嵌合することで、内側本体１３が外カバー体２との間で位置ずれや分離が生じにくくなる点から、内側本体１３とスイッチ４の間にガイド溝２０が形成されることが好ましい。
【００６８】
前述したように、図４には、外カバー体２の構造を示している。なお、図４は、ラッチ３、内側本体１３及び蓋部８を取り付ける前の外カバー体２のみの構造である。
【００６９】
図４に示すように、外カバー体２には、ラッチ３が挿通されるスライド孔２１が形成されている。
【００７０】
また、外カバー体２には外カバー体側凸部２７が形成されている。外カバー体側凸部２７は、スイッチ４のスイッチ側凸部２６と対応する部分である。外カバー体側凸部２７のスイッチ４と接する領域には係止部２５が形成されている。
【００７１】
係止部２５は、スイッチ４の解除係止部２２及び施錠係止部２３と嵌合する。即ち、内側本体１３及びスイッチ４を、外壁片２８及びガイド溝２０に沿って移動させた際に、解除係止部２２及び施錠係止部２３の位置で内側本体１３及びスイッチ４を係止させることができる。
【００７２】
この場合、解除係止部２２で係止部２５を係止すると、スイッチ４を解除状態の位置で維持することができる。また、施錠係止部２３で係止部２５を係止すると、スイッチ４をロック状態の位置で維持することができる。
【００７３】
また、スイッチ４は、解除係止部２２及び施錠係止部２３の位置に至った部分でクリック振動により、操作感触が得られるものとなっている。これにより、使用者はスイッチ４による解除状態またはロック状態を認識可能となり、装置をより確実に作動させることができる。
【００７４】
また、外カバー体２は、ガイド溝２０に嵌合する外壁片２８を有する。外壁片２８は、スイッチ４及び内側本体１３が下方に下がった状態、即ち、ロック状態となった際に、外カバー体２の内部が見えないようにする目隠しの役割を有している。
【００７５】
また、外壁片２８は、蓋部８と同様に、外カバー体２を閉塞し、内部に異物が混入しないようにしている。なお、外壁片２８が、前述したガイド溝２０に配置される外カバー体２の一部に該当する。
【００７６】
また、外カバー体２と内側本体１３及びスイッチ４を嵌合させた際に、外壁片２８の下方に、内側本体１３とスイッチ４の連設した領域が配置されることになる。
【００７７】
また、外カバー体２には、内側本体１３のスライド補助部３３が嵌合するスライド補助溝２９が形成されている。スライド補助部３３及びスライド補助溝２９が嵌合することで、外カバー体２と内側本体１３及びスイッチ４の動きをスムーズにすることができる。
【００７８】
また、外カバー体２の、スライド孔２１が形成された側とは反対側の面には、蓋部８と嵌合する段差３０が形成されている。
【００７９】
ここで、必ずしも、スイッチ側凸部２６及び外カバー側凸部２７が形成される必要はない。外カバー体２及びスイッチ４が接する領域に、内側本体１３及びスイッチ４の外壁片２８及びガイド溝２０に沿った移動を係止可能な構造が設けられれば充分である。例えば、外カバー体２の外壁片２８と、スイッチ４の外壁片２８と接する領域に係止部を設ける構造も採用しうる。
【００８０】
また、必ずしも、解除係止部２２、施錠係止部２３及び係止部２５が凹凸の形状により係止する構造である必要はなく、所定の位置で係止が可能なものであれば充分である。
【００８１】
また、必ずしも、スイッチ４に施錠係止部２３が形成される必要はない。但し、スイッチ４に触れて誤ってロック状態が解除されるケースを減らすことが可能な点から、スイッチ４に施錠係止部２３が形成されることが好ましい。
【００８２】
また、必ずしも、スライド補助部３３及びスライド補助溝２９が形成される必要はない。但し、外カバー体２と内側本体１３及びスイッチ４の動きをスムーズにすることができる点から、スライド補助部３３及びスライド補助溝２９が形成されることが好ましい。
【００８３】
また、必ずしも、外カバー体２に段差３０が形成される必要はなく、蓋部８が取り付け可能な構造であれば充分である。
【００８４】
また、図５に示すように、ラッチ３は、突出部９の部分から先端方向に向けて傾斜面３１を有している。傾斜面３１は、引出し７をキャビネットに押し入れる前に、スイッチ４をロック状態にしてしまった場合の誤使用に対応する構造であり、この点は、本発明の仕様方法の一例において後述する。
【００８５】
また、ラッチ３は、突出部９と保持部１７の間にクリアランス３２を有している。突出部９とロックピン１０が嵌合した状態、即ち、ロック状態においても、クリアランス３２の範囲で引出し７をキャビネットから引き出すことが可能となる。また、クリアランス３２の範囲で引出し７をキャビネットから引き出した状態で、ラッチ３の一部が引出し前板５とキャビネットの間に生じる間隙から視認可能であり、キャビネットの外側から、定規等の薄い板状体やペン等の細長い棒状体でラッチ３に触れることが可能となっている。
【００８６】
ここで、必ずしも、ラッチ３が傾斜面３１を有する必要はなく、ロックピン１０に嵌合可能であれば充分である。但し、誤使用時の破損が生じにくくなる点から、ラッチ３が傾斜面３１を有することが好ましい。
【００８７】
以下、本発明を適用したロック装置の使用方法について説明し、本発明の理解に供する。
【００８８】
引出しロック１では、前述したように、ラッチ３、内側本体１３及びスイッチ４が一体的に動く構造となっている。ラッチ３は、外カバー体２のスライド孔２１に挿通され、スライド孔２１の形状に沿って、上下方向に移動可能である。
【００８９】
引出し７をロック状態とするには、まず、操作部１１を介してスイッチ４を上方に上げて、ラッチ３の突出部９がロックピン１０と嵌合しない高さ位置にもってくる。この際、外カバー体２の係止部２５と、スイッチ４の解除係止部２２が嵌合し、スイッチ４の解除状態が保たれる。
【００９０】
次に、引出し７をキャビネット側に押し入れ、引出し７が完全に収納された状態にする。この際、ラッチ３の突出部９が、キャビネットの側板内側に設けられたロックピン１０の上方に位置することになる。
【００９１】
操作部１１を介してスイッチ４を下げると、これに連動してラッチ３が下がり、突出部９とロックピン１０が嵌合する。これにより、引出し７が引き出される方向への移動が規制されロック状態となる。
【００９２】
また、この際、外カバー体２の係止部２５と、スイッチ４の施錠係止部２３が嵌合し、スイッチ４のロック状態が保たれる。また、解除状態とするには、操作部１１を介してスイッチ４を上げれば、突出部９とロックピン１０が離れ、嵌合しない位置関係となる。
【００９３】
続いて、引出しロック１のスイッチを使用しないキャビネットの外側からの解除について説明する。
【００９４】
図５に示すように、ラッチ３はクリアランス３２を有している。また、嵌合凸部１４を中心軸として、回転可能に構成されている。なお、ラッチ３は、矢印Ａの方向に回転可能となっている。
【００９５】
まず、引出しロック１で引出し７がロックされた状態とする。また、引出し７はキャビネットに完全に収納された状態であるが、クリアランス３２の範囲で引出し７はキャビネットから引き出すことが可能であり、ラッチ３は、引出し前板５とキャビネットの間に生じる隙間から視認可能なものとなっている。
【００９６】
ここで、スイッチ４を用いずに解除状態とするには、キャビネットの外側から定規等の薄い板状体やペン等の細長い棒状体を引出し前板５とキャビネットの間に生じる間隙に差し込み、ラッチ３の一部分に触れる。そして、上部方向へラッチ３を持ち上げることで、ラッチ３の先端が矢印Ａの方向へ持ち上がる。
【００９７】
ラッチ３の先端が持ち上がることで、突出部９とロックピン１０の嵌合状態が解け、これにより、引出し７を引き出すことが可能になる。このように、スイッチ４を介さずに解除状態にできる構造とすることで、スイッチの破損時等にもロック状態を解除することが可能となる。
【００９８】
更に、引出しロック１は、引出しをキャビネットに押し入れる前にスイッチをロック状態にして、引出しを押入れた際の破損防止の構造も有している。
図６は、ロック状態で引出しを閉めた際にラッチ先端にロックピンが接触した状態を示す概略図（ａ）、ラッチの傾斜面とロックピンまたは突出部が接触した状態を示す概略図（ｂ）、及び、ラッチとロックピンが嵌合した状態を示す概略図（ｃ）である。
【００９９】
前述したように、ラッチ３は嵌合凸部１４を中心軸として回転可能に構成されている。また、ラッチ３は突出部９から先端にかけて傾斜面３１を有している。また、ロックピン１０は略円柱状体である。また、図６の矢印Ｂは、引出し７がキャビネットに収納される際に移動する方向を示している。
【０１００】
まず、引出し７をキャビネットに収納する前に、スイッチ４は下がった状態になっているとする。図６（ａ）に示すように、引出し７を矢印Ｂで示すキャビネットに収納される方向に押し入れると、ラッチ３の先端がロックピン１０と接触する。
【０１０１】
また、図６（ｂ）に示すように、そのまま引出し７を矢印Ｂの方向に押していくと、それに伴いラッチ３もキャビネット側に進む。その際、ロックピン１０はラッチ３の傾斜面３１に沿って位置することになる。ロックピン１０の位置に応じて、ラッチ３の先端が矢印Ｃの方向に持ち上がり、ラッチ３がロックピン１０を乗り越えようとして動くことで、引出し７を更に奥に押し入れることが可能となる。
【０１０２】
ラッチ３の突出部９とロックピン１０が接触する位置で、ラッチ３の先端は最も持ち上がった状態となる。また、ロックピン１０の高さ位置はそのままであり、ラッチ３の先端が上下動する。
【０１０３】
図６（ｃ）に示すように、最終的には、ラッチ３の突出部９もロックピン１０を乗り越え、ラッチ３とロックピン１０が嵌合した状態となる。即ち、スイッチ４を下げた状態で引出し７をキャビネットに収納しても、ロック状態にすることができる。これにより、例えば、誤ってスイッチ４をロック状態に下げて引出しを収納しようとした際にも、ロック状態にすることが可能であり、誤使用時に引出しロック１やロックピン１０が破損しにくいものとなっている。
【０１０４】
以上、本発明を適用したロック装置の一例である引出しロック１について説明したが、本発明の実施の形態はこれに限定されるものではない。例えば、図７に示すロック装置３４のような構造も実施の形態となる。
図７は、本発明の実施の形態の一例であるキャップ式のロック装置を示す概略図である。
【０１０５】
図７に示すように、ロック装置３４は、引出し前板３５に加工された専用孔３６に嵌めこまれるキャップ式の構造となっている。また、ロック装置３４では、ラッチの突出部と嵌合するロックピン３７が、キャビネットの側板３８の内側に配置されている。なお、外カバー体、内側本体、スイッチ、係止部等を有する点は引出しロック１と同様である。
【０１０６】
このように、引出し前板に引出しロック１に埋め込まれた構造も本発明の構造として採用しうる。
【０１０７】
また、図８に示すロック装置３９も本発明の実施の形態の一例である。
図８は、本発明の実施の形態の一例であるネジ固定式のロック装置を示す概略図である。
【０１０８】
図８に示すように、ロック装置３９は、引出し前板４０に外カバー体４１がネジ構造で固定され、外カバー体４１が引出し前板４０の前面の外側に配置された構造となっている。また、ラッチの突出部と嵌合するロックピン４２が、キャビネットの側板４３の外側に配置されている。なお、外カバー体、内側本体、スイッチ、係止部等を有する点は引出しロック１と同様である。
【０１０９】
このように、引出し前板よりも外側に外カバー体を配置し、キャビネットの側板の外側にロックピンを設ける構造も本発明の構造として採用しうる。この構造は、引出しとキャビネットの間の間隙が小さく、ロックピンの設置が難しいキャビネットに有効な構造である。
【０１１０】
以上のように、本発明を適用したロック装置は、使用者が手動でロック状態と解除状態を切り替えるものであり、確実にロック状態にできるものとなっている。
【０１１１】
また、より確実にロック状態とする構造として、ラッチの突出部及びロックピンが磁性を有する構造で形成されるものとすることもできる。この場合、磁力と位置関係を調節し、ラッチが完全な解除状態に位置する場合を除き、ラッチの突出部とロックピンが互いの磁力でくっつく構造とする。これにより、解錠位置以外にラッチがある際は、磁力により自動でロック状態となるものとすることができる。
【０１１２】
また、本発明を適用したロック装置は構造が簡易であり、キャビネットへの取付け加工が容易なものとなっている。特に、引出し前板に嵌め込む構造を採用した場合には、ネジ等の別途の部材を用いずに簡単に取り付けることが可能となる。
【０１１３】
また、本発明を適用したロック装置は、ロックピンの長さを変更するだけで、多様なキャビネットに使用することができる。引出しと、その引出しが収納されるキャビネットの側板との間の距離は、種類によって異なるものとなっている。本発明のロック装置では、ロックピンの長さを変えるだけで、その距離の違いに対応可能であり、その他の部材のサイズ変更を特に要しない。この結果、汎用性が高く、製造コストを抑えることができるものとなっている。
【０１１４】
このように、本発明を適用したロック装置は、ロック状態及び解除状態の切り替えを容易かつ確実に行うことが可能であり、簡易な取付け構造を有するものとなっている。
また、本発明を適用した収納家具は、ロック状態及び解除状態の切り替えを容易かつ確実に行うことが可能であり、簡易な取付け構造を有するものとなっている。
【符号の説明】
【０１１５】
１      引出しロック
２      外カバー体
３      ラッチ
４      スイッチ
５      引出し前板
６      凹部
７      引出し
８      蓋部
９      突出部
１０      ロックピン
１１      操作部
１２      溝
１３      内側本体
１４      嵌合凸部
１５      嵌合孔部
１６      ラッチ受け部
１７      保持部
１８      ラッチの端部
１９      切り欠き
２０      ガイド溝
２１      スライド孔
２２      解除係止部
２３      施錠係止部
２５      係止部
２６      スイッチ側凸部
２７      外カバー体側凸部
２８      外壁片
２９      スライド補助溝
３０      段差
３１      傾斜面
３２      クリアランス
３３      スライド補助部
３４      ロック装置
３５      引出し前板
３６      専用孔
３７      ロックピン
３８      キャビネットの側板
３９      ロック装置
４０      引出し前板
４１      外カバー体
４２      ロックピン
４３      キャビネットの側板
【図１】
2015117514.tif 000003
【図２】
2015117514.tif 000004
【図３】
2015117514.tif 000005
【図４】
2015117514.tif 000006
【図５】
2015117514.tif 000007
【図６】
2015117514.tif 000008
【図７】
2015117514.tif 000009
【図８】
2015117514.tif 000010
【図９】
2015117514.tif 000011